(57)【要約】【課題】ヒートアイラインド現象が発生している地域の大空間を降温化する。【解決手段】ヒートアイランド対策用の三次元地域冷却システムであって、既存の建造物の屋上あるいは／および該建造物の外壁面に、該建造物から外方に向けて噴霧する複数のノズルを配置し、気温２５〜４０℃、湿度３０〜７０％、風速１ｍ／秒以下の大気中において、前記ノズルから噴霧する液滴が完全に蒸発するに要する前記大気中での滞留時間を０．６秒以上の予め規定した設定範囲内としている。また、風速および風向に応じて噴霧の停止および噴霧方向の制御を行っている。【選択図】図１
2008275304.tif 000002
【特許請求の範囲】
【請求項１】
ヒートアイランド対策用の三次元地域冷却システムであって、
既存の建造物の屋上あるいは／および該建造物の外壁面に、該建造物から外方に向けて噴霧する複数のノズルを配置し、
気温２５〜４０℃、湿度３０〜７０％、風速１ｍ／秒以下の大気中において、前記ノズルから噴霧する液滴が完全に蒸発するに要する前記大気中での滞留時間を０．６秒以上の予め規定した設定範囲内していることを特徴とする三次元地域冷却システム。
【請求項２】
ヒートアイランド対策用の三次元地域冷却システムであって、
既存の建造物の屋上あるいは／およびと該建造物の外壁面に、該建造物から外方に向けて噴霧する複数のノズルを配置し、
風向計により測定される風向き方向に、前記ノズルの噴霧方向を変える噴霧方向変換手段を備えていることを特徴とする三次元地域冷却システム。
【請求項３】
前記ノズルの風向きに応じた噴霧方向変換手段による噴霧方向の変換は、風速１ｍ／ｓ〜５ｍ／ｓで行う設定とする請求項２に記載の三次元地域冷却システム。
【請求項４】
ヒートアイランド対策用の三次元地域冷却システムであって、
既存の建造物の屋上あるいは／およびと該建造物の外壁面に、該建造物から外方に向けて噴霧する複数のノズルを配置し、
風向計により測定される風向き方向に応じて前記ノズルの噴射を停止する噴射停止手段を備えていることを特徴とする三次元地域冷却システム。
【請求項５】
前記ノズルから噴霧する液滴の平均粒子径は２０〜１００μｍとし、無風状態で該液滴の大気中での滞留時間を０．６〜１５秒の範囲内に設定する請求項１乃至請求項４のいずれか１項に記載の三次元地域冷却システム。
【請求項６】
前記ノズルの配置位置は少なくとも地上２．８ｍ以上とし、
地上２．８ｍに達した位置での水滴の平均粒子径は２０μｍ以下で、該２．８ｍ位置からの水滴の大気中での滞留時間を０．６秒未満とする請求項１乃至請求項５のいずれか１項に記載の三次元地域冷却システム。
【請求項７】
地上から３０ｍの位置に設置した前記ノズルから噴霧する液滴が地上１０ｍの位置に達するまでの時間が４．５〜６．０秒、噴霧時の液滴量を１００％とすると前記１０ｍの位置に１〜３％が液滴の状態で到達し、地上２．８ｍに達すると液滴量は噴霧時の液滴量の０．０１％未満に設定する請求項１乃至請求項６のいずれか１項に記載の三次元地域冷却システム。
【請求項８】
前記ノズルの配置高さが地表より１６ｍ以上、噴霧する液滴の平均粒子径は２０〜１００μｍ、噴霧圧力は０．３〜１０ＭＰａとしている請求項１乃至請求項７のいずれか１項に記載の三次元地域冷却システム。
【請求項９】
前記ノズルの配置高さは２５〜４５ｍ、前記噴霧する液滴の平均粒子径は５０〜８０μｍ、噴霧圧力は０．３〜３．０ＭＰａとする請求項１乃至請求項７のいずれか１項に記載の三次元地域冷却システム。
【請求項１０】
前記建造物の周辺の気温が３０℃以上、湿度７０％未満であると前記ノズルからの噴霧を開始する一方、前記気温３０℃未満、湿度が７０％以上、風速が５ｍ／ｓを越えると噴霧を停止する請求項１乃至請求項９のいずれか１項に記載の三次元地域冷却システム。
【請求項１１】
前記ノズルは高層建造物において屋上および該屋上から所要間隔をあけた複数高さ位置の外壁に沿って同一高さ位置に配置した配管に、間隔をあけて並列に取り付けている請求項１乃至請求項１０のいずれか１項に記載の三次元地域冷却システム。
【請求項１２】
前記ノズルは樹脂製のノズル本体を備え、該ノズル重量は３〜１０ｇの軽量ノズルからなる請求項１乃至請求項１１のいずれか１項に記載の三次元地域冷却システム。
【請求項１３】
前記ノズルは水源からポンプを介して接続する配管に取り付け、該ポンプの吐出圧力をノズルの噴霧圧力として用い、あるいは、
前記建造物の屋上に設けた貯水タンクから該建造物の外壁に設置したノズル取付用の配管までの落差（水頭差）により発生する下降圧力を、該配管に取り付けたノズルの噴霧圧力の全て又は一部として用いている請求項１乃至請求項１２のいずれか１項に記載の三次元地域冷却システム。
【請求項１４】
前記ノズルを取り付けた配管の上流に、熱交換器、氷蓄熱器等の冷却器を介設し、前記ノズルから冷却水を噴霧する請求項１乃至請求項１３のいずれか１項に記載の三次元地域冷却システム。
【請求項１５】
前記ノズルに供給する水源の一部として、屋上に設置した貯水タンクに雨水受けを設けて雨水を利用し、あるいはビル内での使用済みで且つ清浄処理済の排水を再利用する請求項１乃至請求項１４のいずれか１項に記載の三次元地域冷却システム。
【請求項１６】
前記ノズルの動力源の少なくとも一部に太陽光発電装置を用いている請求項１乃至請求項１５のいずれか１項に記載の三次元地域冷却システム。
【発明の詳細な説明】
【技術分野】
【０００１】
本発明は、ヒートアイランド現象緩和用の三次元地域冷却システムに関する。
【背景技術】
【０００２】
近時、ヒートアイランド対策として、集客施設や該施設付近の柱にスプレーノズルを取り付け、該スプレーノズルからの噴霧により周辺気温を降下させる冷却システムが採用されつつある。
【０００３】
例えば、特開平６−１５９８８７号公報（特許文献１）では、集客施設に通じるプロムナードや陸橋等のアクセス部に霧状の水噴霧を行うノズルを配置している。この特許文献１で開示されているノズルは水噴射用ノズルからなり、ポンプから供給される水をプロムナードの空間に水粒子を５０μｍ以下として霧状に噴霧すると記載されている。
【０００４】
前記特許文献１で開示されたノズルは５０μｍ以下の粒子で水噴霧するノズルであることが開示されているだけである。よって、この５０μｍの水滴が蒸発することなく人に接触すると人は濡れを感じて不快感を生じると共に、地面近くで噴霧しても地域気温の降下に有効に役立たない問題がある。
【０００５】
前記問題に対して、特開２００６−１７７５７８号公報（特許文献２）では、噴霧ノズルから噴霧されるザウダー（水滴）の平均粒子径に基づいて、噴霧ノズルの設置高さと噴霧量とを設定している。
具体的には、ザウダー平均粒子径が１０μｍ以上で２２μｍ以下の時は、噴霧ノズルの設置高さが３．５ｍ以上６ｍ以下とされ、噴霧量を３ｃｍ３／ｍ２・ｍｉｎ以上２０ｃｍ３／ｍ２・ｍｉｎ以下とされている。
また、ザウダー平均粒子径が１５μｍを越えて２７μｍ以下の時は、噴霧ノズルの設置高さを６ｍ以上１０ｍ以下とされ、噴霧量を３ｃｍ３／ｍ２・ｍｉｎ以上４０ｃｍ３／ｍ２・ｍｉｎ以下とされている。
さらに、ザウダー平均粒子径が２０μｍを越えて３０μｍ以下の時は、噴霧ノズルの設置高さを１０ｍ以上１６ｍ以下とされ、噴霧量を６ｃｍ３／ｍ２・ｍｉｎ以上８０ｃｍ３／ｍ２・ｍｉｎ以下とされている。
【０００６】
前記のように特許文献２では、特許文献１と同様に、水滴の粒子径（正確にはザウダー平均粒子径）を基準として規定しており、該ザウダー平均粒子径に基づいてノズルの配置高さと噴霧量を設定している。言い換えると、ノズルの配置高さが相違すると、ノズルから噴霧するザウダー平均粒子径を相違させる必要がある。
ノズルから噴霧するザウダー平均粒子径を相違させるには、構造が相違する異種のノズルを用いるか、同一ノズルの場合には供給する水圧を相違させて噴霧圧を相違させる必要がある。
即ち、３．５ｍ〜６ｍの範囲に設置するノズルと、６ｍ〜１０ｍの範囲に設置するノズルと、１０ｍ〜１６ｍに設置するノズルとは、異種のノズルとするか、水圧を変える必要がある。よって、例えば、高さの相違するビルの屋上にノズルを配置する場合、ビルの高さに応じて異なるノズルを配置するか、水圧を相違させる必要がある。また、１つのビルの屋上、高層階、中層階、低層階の壁面にノズルをそれぞれ配置する場合にも、同様の問題がある。
ヒートアイランド対策としてノズルを用いる場合には、非常に多数のノズルを多数の箇所に配置する必要があるため、前記のように、ノズルの配置高さに応じてザウダー平均粒子径を相違させる必要がある場合、設置作業に手数がかかり、コスト高になる問題がある。
【０００７】
また、前記特許文献２では、噴霧（水滴）の平均粒子径に基づいて、噴霧ノズルの設置高さと噴霧量とを設定しているだけである。ヒートアイランド対策としてノズルを用いて噴霧する場合、気温は高温であるため水滴は蒸発しやすいが、高湿度の場合には水滴は蒸発しにくくなる。かつ、実際には風の影響もあり、特許文献１、２のように、粒子径を基準としてノズルの配置高さと噴霧量を一概に決定しても、大気気温を効果的に降下させることはできない。
【０００８】
ヒートアイランド対策としてノズルから噴霧する場合、最も重要な点は噴霧される水滴が大気中で蒸発して雰囲気空気を冷却させる点であり、かつ、噴霧された水滴が人に接触しないように蒸発させる点にある。
上記観点から、ノズルから噴霧される水滴が大気中で蒸発するに要する時間が重要となる。蒸発に要する時間がノズルの配置高さに応じて相違すれば、ノズルから噴霧する水滴の平均粒子径が同等としても良い場合がある。
しかしながら、特許文献１、２にはノズルから噴霧される水滴が大気中で蒸発するに要する滞留時間は問題とされていない。
【０００９】
さらに、特許文献２では、前記のように、ノズルの設置高さが２．５ｍ〜１６ｍ未満の範囲で規定しており、最大高さの１６ｍは５階建ての建造物の高さに相当する。ヒートアイランド現象が発生する地域では、近時、高層化が急激に進み、高層ビルは１０階以上、更には５０階程度の高層ビルも建造されている。
よって、ヒートアイランド対策用としてノズルを設置する場合、少なくとも１０階建ビルに相当する３０ｍの高さでも、ビルから排気熱が放出されて大気が加熱されるため、ノズルも３０ｍの高さ位置、さらには、それ以上の高さ位置に配置する必要がある。
３０ｍ程度の高層ビルにノズルを設置する場合、該ノズルから噴霧する水滴がある程度大きくても、地上近く達するまでに蒸発し、液滴の状態を保持せず、人に濡れを生じさせず、かつ、大きな液滴は長時間大気中に滞留することとなるため、降温化に寄与させることができる。
従って、最大高さを１６ｍとして、噴霧（水滴）の平均粒子径に基づいて、ノズルの設置高さと噴霧量とを設定している特許文献２の技術は、１６ｍ以上、更には３０ｍ以上の高層ビルにノズルを設置する場合には適用することができない。
【００１０】
さらに、特許文献１、２では、風向きや風速についての配慮がなされていない。
ノズルをビルの屋上等の高位置に設置すると、該ノズルからの噴霧方向は風向に大きく影響され、風向きによってはノズルを設置したビル側に向けて噴霧されてビルの壁面を濡らすだけになる。また、風速によってはノズルからの噴霧が地上へと降下しない場合もあり噴霧により降温化効果が低下する問題がある。
【００１１】
【特許文献１】特開平６−１５９８８７号公報
【特許文献２】特開２００６−１７７５７８号公報
【発明の開示】
【発明が解決しようとする課題】
【００１２】
本発明は、前記した問題に鑑みてなされたものであり、集客施設のプロムナード等の局所的な気温を降下させるにとどまらず、１０階建以上の高層ビルが林立して、ヒートアイランド現象が発生しやすい地域全体の大空間の降温化を図る三次元地域冷却システムを提供することを課題としている。
さらに、風向きや風速との関係を考慮して、ノズルからの噴霧が地域の降温化に有効に作用させることを課題としている。
【課題を解決するための手段】
【００１３】
前記課題を解決するため、第１の発明として、ヒートアイランド対策用の三次元地域冷却システムであって、
既存の建造物の屋上あるいは／および該建造物の外壁面に、該建造物から外方に向けて噴霧する複数のノズルを配置し、
気温２５〜４０℃、湿度３０〜７０％、風速１ｍ／秒以下の大気中において、前記ノズルから噴霧する液滴が完全に蒸発するに要する前記大気中での滞留時間を０．６秒以上の予め規定した設定範囲内としていることを特徴とする三次元地域冷却システムを提供している。
【００１４】
本発明が対象とする三次元地域冷却システムは、ヒートアイランド現象が都会の高層ビルが林立する地域に発生しやすいことから、該地域に建造されている高層ビル等の建造物を利用してノズルの設置場所とし、該地域全体の大空間の降温を図るものとしている。  即ち、本発明では、ノズルの設置場所として既存の建造物を利用することを特徴としている。建造物とはビル、施設、柱等が含まれる。また、既存の建造物には新築中のビル等も含まれる。
なお、既存の建造物にノズル設置場所がなく、ノズル設置用に新設可能なスペースがあればノズル用支柱を建設してノズルを設置しても良いが、主として前記既存の建造物をノズル設置場所として利用している。
このように、本発明の三次元地域冷却システムは、特許文献１に記載のような特定施設等の局所的な降温を図るのではなく、高層ビルが林立する地域の大空間の降温を図るものであり、従って、その地域におけるビル風も利用するため、ノズルから噴霧する液滴がビル風で遠くに飛ばされても地域内を冷却することに有効に利用できる。
また、大空間の降温化を図るものであるため、ノズルを取り付ける建造物の高さが高い程、例えば、１０階ビルに相当する３０ｍ以上の高層ビルにノズルを取り付けるほど、地域全体の降温下には有効である、
さらに、３０ｍ付近にノズルを設置する場合、該ノズルから噴霧する水滴がある程度大きくても、地上近くまでは液滴の状態を保持せず、人に濡れを生じさせない一方、大きな液滴は長時間大気中に滞留することとなるため、降温化に寄与させることができる。よって、水滴が地表に達するまでに蒸発する時間を所要範囲内に特定できれるノズルを用いて噴霧すれば、必ずしも水滴の平均粒子径に応じてノズルの設置高さや噴射量を特定する必要はない。言い換えれば、ノズルの設置高さ位置によって大気中での水滴の滞留時間が相違すれば、水滴の平均粒子径が略同等であってもよい。
【００１５】
前記のように、第１の発明では、地域的に発生するヒートアイランド対策用としてノズルから噴霧して大空間の降温化を図るものであるため、該降温化に最も重要な事項である水滴の大気滞留時間、言い換えれば水滴が蒸発するまでに要する時間を基準としている。
水滴の大気中での滞留時間は長いほど降温が促進されるが、水滴が大気中を降下して地面から２．８ｍ以下でも水滴状態を保持していると、人に濡れを発生させる可能性がある。
この点を考慮して、前記のように、気温２５〜４０℃、湿度３０〜７０％、風速１ｍ／秒以下の大気中において、前記ノズルから噴霧する液滴が完全に蒸発するに要する前記大気中での滞留時間を０．６秒以上の予め規定した設定範囲内としている。
前記気温条件および湿度条件はノズルから噴霧をすると、降温化を図ることができる気候条件に相当するものである。
前記大気中での水滴の滞留時間を０．６秒以上としているのは、ノズルを配置する高さを地上から２．８ｍ程度の最低高さとしても、平均粒子径が２０μｍ未満であれば空気中での水滴の滞留時間を０．６秒以上とでき、気温の低下に寄与できると共に、人に濡れを発生させないようにすることができることに因る。この水滴の滞留時間は本発明者が繰り返し実験して知見したものである。
【００１６】
具体的には、ノズルから噴霧する液滴の平均粒子径は２０〜１００μｍとし、無風状態で、該液滴の大気中での滞留時間が０．６〜１５秒となる設定としている。
前記したノズルから噴霧する液滴の平均粒子径と、液滴の大気中での滞留時間の関係は、ノズルの設置高さを１６ｍ以上とした場合に、液滴が地表から２．８ｍ位置に達するまでに大気中でほぼ完全に蒸発させることができる範囲であり、これは本発明者が実験により知見したものである。
このように、前記設定とすると、既存の高層ビルにノズルを設置した場合、人間に濡れを感じさせずに、液滴の蒸発により地域気温を低下させることができる。
【００１７】
よって、前記ノズルの配置位置は少なくとも地上２．８ｍ以上としている。
地上２．８ｍに達すると、水滴の平均粒子径は２０μｍ以下で、該２．８ｍ未満からの水滴の大気中での滞留時間を０．６秒未満としていることが好ましい。
即ち、地上２．８ｍより高い位置に配置した場合には、地上２．８ｍに達した時点で水滴の平均粒子径が２０μｍ以下まで減少している。地上２．８ｍ位置で水滴が２０μｍ未満になっておれば、該２．８ｍ高さ位置からの液滴の大気中での滞留時間を０．６秒未満とすると、液滴の状態のまま人に接触して濡れを感じさせることを防止できる。
【００１８】
好ましくは、地上から３０ｍの位置に設置した場合、該ノズルから噴霧する液滴が１０ｍの位置に達するまでの時間を４．５〜６．０秒、噴霧時の液滴量を１００％とすると前記１０ｍの位置に１〜３％が液滴の状態で到達し、地上２．８ｍ以下においては液滴量は噴霧時の液滴量の０．０１％未満となる設定としている。
【００１９】
このように、本発明のヒートアイランド対策用の三次元地域冷却システムにおいては、ノズルから噴霧する水滴の大気中での滞留時間が設定時間範囲内となる噴霧を生じるノズルを用いている。
該ノズルからの水滴は設定範囲内の時間で大気中に滞留するため、気温の降下に有効に作用させることができ、かつ、人に濡れを発生させない。
【００２０】
ノズルから噴霧する水滴の大気中での滞留時間を前記設定範囲内にするには、
ノズルの配置高さが地表より１６ｍ以上とする場合、噴霧する液滴の平均粒子径を２０〜１００μｍ、噴霧圧力は０．３〜１０ＭＰａとしていることが好ましい。
ノズルの配置高さは２５〜４５ｍとした場合、噴霧する液滴の平均粒子径を５０〜８０μｍ、噴霧圧力は０．３〜３．０ＭＰａとしていることが好ましい。
【００２１】
本発明では、建造物の周辺の気温が３０℃以上、湿度７０％未満になると前記ノズルからの噴霧を開始する一方、前記気温３０℃未満、湿度が７０％以上になると噴霧を停止する設定としていることが好ましい。
具体的には、温度・湿度検出器とノズル制御器とを接続して、自動制御で切り替える構成とすることが好ましい。
【００２２】
さらに、前記ノズルは前記配管に対して角度調節して取り付け、該ノズルの配置高さに応じて前記ノズルの噴霧方向を相違させていることが好ましい。
例えば、３０ｍ以上の屋上や上層階に設置するノズルは、風の影響を受けやすいため、その噴射口を下向きとして噴霧し、噴霧がより上層へと吹き飛ばされにくいようにすることが好ましい。
一方、階層が低下するに連れて噴射口を外方に向けて傾斜させ、液滴が地表に到達する時間を遅延させ、かつ、液滴のままで落下して人に液滴がかからないようにすることが好ましい。
【００２３】
また、第２の発明として、
ヒートアイランド対策用の三次元地域冷却システムであって、
既存の建造物の屋上あるいは／およびと該建造物の外壁面に、該建造物から外方に向けて噴霧する複数のノズルを配置し、
風向計により測定される風向き方向に、前記ノズルの噴霧方向を変える噴霧方向変換手段を備えていることを特徴とする三次元地域冷却システムを提供している。
【００２４】
即ち、前記ノズルは配管に対して取付角度を変更自在に取り付け、配置位置の風向きに応じて、該ノズルの取付角度を変えて噴霧方向を変更自在としている。
この場合、風向計とノズルの角度調節機構とを連動させておくと、ノズルからの噴霧方向を風向きに応じて自動制御することができる。
具体的には、風向計により測定される風向き方向で、ノズルの噴霧方向を変えることにより、ノズルからの噴霧を風に乗せて、大気中での滞留時間を長くすることができる。例えば、風向きが南側から北側に向いている場合には、ノズルからの噴霧方向を北向きとしている。
前記ノズルの風向きに応じた噴霧方向変換手段による噴霧方向の変換は、風速１ｍ／ｓ〜５ｍ／ｓで行う設定とすることが好ましい。
【００２５】
さらに、第３の発明として、
ヒートアイランド対策用の三次元地域冷却システムであって、
既存の建造物の屋上あるいは／およびと該建造物の外壁面に、該建造物から外方に向けて噴霧する複数のノズルを配置し、
風向計により測定される風向き方向に応じて前記ノズルの噴射を停止する噴射停止手段を備えていることを特徴とする三次元地域冷却システムを提供している。
また、ノズルに向かって風が吹いた時は、一部のノズル取付用の配管に自動噴射停止機構を付加してもよい。
【００２６】
具体的には、前記風向計により測定される風向きが、前記ノズルの正面方向、即ち、ノズルに向かって風が吹いた時は、噴射を停止するようにし、例えば、ノズル取付用の配管に自動噴射停止機構を設けている。これは、風向きがノズルの正面方向であると、ノズルからの噴霧が逆向きとなり建造物の壁面に当たるためである。
また、該ノズルの噴射方向に対して９０度未満である場合も、ノズルからの噴射を停止することが好ましい。この場合もノズルからの噴霧が建造物の壁面に斜め方向が当たるためである。
【００２７】
本発明のノズルは、高層建造物において屋上および、該屋上から所要間隔をあけた複数高さ位置の外壁に沿って同一高さ位置に配置した配管に、間隔をあけて並列に取り付けていることが好ましい。
例えば、１０階のビルにおいて、屋上、６階、３階等と高さ位置が異なる複数の箇所にノズルを並列配置しておくことが好ましい。該構成とすると、地域の降温をより効果に図ることができる。
【００２８】
本発明で用いるノズルは設置高さに応じて、ノズルから噴霧する水滴の平均粒径は前記のように２０〜１００μｍの比較的広い範囲内であればよく、該範囲内において粒子径を制御したい場合はノズルの供給水圧を制御すればよい。
【００２９】
前記ノズルの噴射孔の噴射口の位置は、前記建造物の外壁面の取付位置から５ｃｍ〜１００ｃｍ離れた位置としていることが好ましい。
これは、ノズルの噴射口が建造物の外壁に近接すると、噴射口から噴霧の一部が建造物の外壁に当たって外壁を濡らすだけで、大気の降温化に有効に役立たないことによる。ノズルからの噴射される噴霧の殆どが大気中に滞留して降温化に作用させるには、前記のように建造物の外壁から所要寸法離すことが好ましい。
【００３０】
前記ノズルの供給水圧の制御は、水源とノズル取付用の配管の間にポンプを介設しても良いが、建造物の屋上に設けた貯水タンクから該建造物の外壁に設置したノズル取付用の配管までの落差（水頭差）により発生する下降圧力によりノズルへの供給水圧を制御することができる。
【００３１】
前記ノズルは前記水源に連通された配管の下流に間隔をあけて取り付け、
上記配管と水源の間に熱交換器、氷蓄熱器等の冷却器を付設し、前記ノズルから冷却水を噴霧していることが好ましい。
このように、噴霧する水滴の温度を低下させておくと、降温化に有効となる。
【００３２】
また、前記ノズルに供給する水源の一部として、屋上に設置した貯水タンクに雨水受けを設けて雨水を利用し、あるいはビル内での使用済みで且つ清浄処理済の排水を再利用することが好ましい。
このように雨水や処理済み排水を利用すると、ノズルの運転コストを低減できる。
【００３３】
本発明で用いるノズルとしては、樹脂製のノズル本体を備え、該ノズル重量は３〜１０ｇの軽量ノズルとすることが好ましい。なお、金属製のノズル本体を使用しても良い。
前記のように、ノズル本体を樹脂製とすると、生産効率を高めてコストの低減を図れる。また、軽量ノズルとすることで、多数のノズルを並設する配管の強度を低くでき、既存建造物に付設するノズル配管を細く目立たないものとして、建造物の外観が損なわれないようにすることができる。
【００３４】
また、ノズルの動力源の少なくとも一部に太陽光発電装置を用いると、ランニングコストを低下できる。
【発明の効果】
【００３５】
前述したように、本発明の三次元地域冷却システムは、高層ビルが林立する地域において、該地域全体にヒートアイラインド現象が発生する場合に、該地域全体を冷却するに適した降温システムからなる。この地域全体を降温するには多数のノズルを配置する必要があるため、ノズル設置箇所として既存の高層ビル等の建造物を利用し、該建造物の屋上や外壁面にノズルを装着した配管を取り付けており、これにより地域的な降温を比較的簡単にコストをかけずに実現することができる。
また、ノズルから噴霧する水滴は、大気中で蒸発させることで、その気化熱で加熱空気の冷却を図ることができ、そのためには、噴霧する水滴が地表の人間に接触させない限度で、大気中での水滴の滞留時間を長くして、地表近くで蒸発させることが降温化に有効である。この観点に基づいて本発明の降温システムを提供しており、ノズルから噴霧する水滴の大気中での滞留時間を所定範囲内としていることにより、地域的な降温を効果的に図ることができる。
【００３６】
さらに、第２の本発明では、風向計により測定される風向き方向に、前記ノズルの噴霧方向を変える噴霧方向変換手段を備えていることを特徴とする三次元地域冷却システムを提供している。このように、風向き方向に向けてノズルから噴霧すると、噴霧を風に乗せて大気中で滞留時間を長くでき、地域の降温化に有効に寄与することができる。
一方、第３の本発明では、風向計により測定される風向き方向がノズルの正面側に向かっている場合等では、ノズルからの噴霧が跳ね返されて建造物の壁面に当たり、壁面を濡らすだけであるため、ノズルの噴射を停止している。これにより、地域の降温化に寄与しない噴霧によりエネルギーが無駄に消費されることを防止できる。
【発明を実施するための最良の形態】
【００３７】
以下、本発明の実施形態を図面を参照して説明する。
図１乃至図４に第１実施形態を示す。
図１はシステム全体を示す図面であり、本実施形態では地上高さ８０ｍ（３０階建）の高層ビルＢに適用している。
図１では１つの高層ビルＢで示しているが、図２に示すように、メインストリートＲを挟んで林立する多数のビルＢに図１と同様にノズル１を取り付け、これらビルＢが林立する地域における大空間の降温化を図っている。
【００３８】
図１に示すように、高さ８０ｍの屋上の位置Ｌ１、５０ｍ高さ（１９階）の位置Ｌ２、２０ｍ高さ（８階）の位置Ｌ３、１０ｍ高さ（４階）の位置Ｌ４の４つの異なる高さ位置Ｌ１〜Ｌ４に、それぞれビルＢの外壁面Ｂ０（四角形状のビルの４辺の外壁面）に沿って配管１０（１０Ａ〜１０Ｄ）を取り付け、該配管１０に所定間隔をあけてノズル１を取り付けている。
【００３９】
前記各位置Ｌ１〜Ｌ４に配置する配管１０（１０Ａ〜１０Ｄ）に取り付けるノズル１は、同一形状のノズルを用い、該ノズル１は水を噴射する１流体ノズルからなる。該ノズル１の形状は特に限定されないが、本実施形態では図４に示すノズル１を用いている。
【００４０】
前記屋上位置Ｌ１と設置高さ５０ｍ位置Ｌ２の配管１０Ａ、１０Ｂには屋上ＢＵに搭載したタンク１１Ａ、１１Ｂに噴霧制御ユニット１７Ａ、１７Ｂを介して夫々接続した配管１３Ａ，１３Ｂと連通している。タンク１１Ａ、１１Ｂには水源１５から水道水を供給して貯水していると共に、雨水受け１１ｕを付設して雨水も貯水している。
設置高さ２０ｍのＬ３位置の配管１０Ｃは、水源１５からポンプＰ１、噴霧調整ユニット１７Ｃを介して水道水を供給している。
設置高さ１０ｍのＬ４位置の配管１０Ｄも、水源１５からポンプＰ２、噴霧調整ユニット１７Ｄを介して水道水を供給している。
前記水源１５から供給する水は浄化装置５０を通して供給している。なお、前記雨水受けは必ずしも付設する必要はない。
【００４１】
前記噴霧制御ユニット１７Ａ〜１７Ｄからそれぞれ４本一組とした配管１３Ａ〜１３Ｄを延在させ、前記各位置Ｌ１〜Ｌ２の４辺に配管し、同一設置高さの配管を各辺毎に制御できるようにしている。
【００４２】
前記噴霧制御ユニット１７Ａ〜１７Ｄは、温度・湿度計１８、風速計１９と接続したメイン噴霧制御ユニット１７Ｘと接続し、該メイン噴霧制御ユニット１７Ｘから前記各噴霧制御ユニット１７Ａ〜１７Ｄへ噴霧開始信号および噴霧停止信号を送信している。
メイン噴霧制御ユニット１７Ｘでは、気温が３０℃以上、湿度が７０％未満となると噴霧を開始し、３０℃未満、湿度が７０％以上となると噴霧を停止する設定としている。
また、風速計１９で測定した風速が５ｍ／秒以上になると噴霧を停止する信号を前記各噴霧制御ユニット１７Ａ〜１７Ｄに送信している。
【００４３】
前記８０ｍ高さの屋上に設置する配管１０Ａ、５０ｍのＬ２に設置する配管１０Ｂに供給する水は、タンク１１Ａ、１１Ｂの水取出口の位置と配管１０Ａ、１０Ｂの位置との落差（水頭差）により生じる下降圧力をノズル１へ供給する水の圧力として利用している。
一方、３０ｍ位置Ｌ３と１０ｍ位置Ｌ４に設置する配管１０Ｃ、１０ＤにはポンプＰ１、Ｐ２の吐出圧をノズル１へ供給する水の圧力としている。
【００４４】
ノズル１は、図４に示すように、射出成形した樹脂からなる筒状のノズル本体２と、該ノズル本体２の噴射側壁２ａの内面に固定したセラミック製のノズルチップ３からなる。
ノズル本体２は円筒状の周壁２ａの一端を噴射側壁２ｂで閉鎖し、その中央に噴口２ｃを設ける一方、周壁２ａの他端は開口２ｄとし、開口２ｄは前記配管１０と連通し、本体２の中空部２ｅに流入している。
前記ノズル１は重量が３〜１０ｇ、全長を約２０ｍｍの小型軽量なノズルとしている。
【００４５】
前記ノズルチップ３は大略円盤形状とし、ノズル本体２の成型時にモールドして、本体２の噴射側壁２ａの内面に固定している。該ノズルチップ３は本体２の噴射側壁２ｂの中心の噴口２ｃと連通する噴射穴３ａを中央部に備え、噴射穴３ａから噴口２ｃを通して旋回流として水を噴霧する構成としている。
前記噴射穴３ａは、流入側から縮径するテーパ状穴部３ａ−１と、該テーパ状穴部３ａ−１に連続して噴口２ｃに連通する小径穴部３ａ−２とからなる。また、ノズルチップ３の内面には９０度間隔をあけて円弧状に湾曲させた旋回溝３ｂを設け、これら旋回溝３ｂの内周端をテーパ状穴部３ａ−１の周縁と連通させ、旋回溝３ｂを通して水を旋回させながら流入する構成としている。
【００４６】
前記ノズル１は、図２（Ｂ）に示すように、ビルＢの外壁面に沿って付設した配管１０に１００〜１０００ｍｍをあけて一定ピッチで取り付けている。ノズル１に０．３〜１０ＭＰａの水圧とした水を供給し、粒子径２０〜１００μｍの噴霧を発生させる構成としている。
【００４７】
前記ノズル１において、配管１０からノズル本体２に流入する水は、噴射側において、ノズルチップ３の旋回溝３ｂを通り、旋回流となって噴射穴３ａのテーパ状穴部３ａ−１に流入する。該テーパ状穴部３ａ−１内で、該穴部の内周面に旋回しながら衝突するため水滴が微細化され、該テーパ状穴部３ａ−１より噴射側の小径穴部３ａ−２に流入し、連通したノズル本体２の噴口２ｃから２０〜１００μｍの微細な水滴として霧状に噴射している。
【００４８】
高低差のある位置Ｌ１〜Ｌ４に配置したノズル１は、気温２５〜４０℃、湿度３０〜７０％、風速１ｍ／秒以下の条件下において、ノズル１の設置高さとの関係で、該ノズル１から噴霧する水滴の大気中での滞留時間が０．６〜１５秒となるように設定している。
前記した水滴の大気中での滞留時間とすると、地表より２．８ｍに達すると水滴量がノズルからの噴射量の０．０１％未満となる。言い換えれば、９９．９９％の水滴が地表２．８ｍに達するまでに大気中で蒸発させている。
【００４９】
前記高低差のある位置Ｌ１〜Ｌ４に配置したノズル１に供給する水圧は、前記のように、屋上および５０ｍ高さのＬ１、Ｌ２では水頭圧で調整し、Ｌ３、Ｌ４ではポンプＰ１、Ｐ２の吐出圧で調整している。
具体的には、８０ｍ高さのＬ１では水圧は０．３ＭＰａとなり、水滴の平均粒子径を１００μｍとし、大気中での滞留時間を４．９〜１３ｍ／秒としている。
５０ｍ高さのＬ２では水圧は０．５ＭＰａとなり、水滴の平均粒子径を８５μｍとし、大気中での滞留時間を４．３〜９．７ｍ／秒としている。
２０ｍ高さのＬ３では圧力を２ＭＰａとし、水滴の平均粒子径を６５μｍとし、大気中での滞留時間を２．１〜５．６ｍ／秒としている。
１０ｍ高さのＬ４では圧力を３ＭＰａとし、水滴の平均粒子径を５０μｍとし、大気中での滞留時間を１．２〜３．２ｍ／秒としている。
【００５０】
また、前記ノズル１は、図３に示すように、噴口２ｃをビルＢの外壁面より５ｃｍ〜１００ｃｍの範囲で突出させている。各高さ位置Ｌ１〜Ｌ４の位置に応じて配管１０への取付角度θを変えている。最上段のＬ１〜Ｌ４にかけて噴射方向を次第に外向き下方へと傾斜し、ノズル１から噴射した水滴がビルＢの外壁面を濡らすことなく、大気中に噴霧される配置としている。
【００５１】
前記構成からなる三次元地域冷却システムでは、ノズル１の設置高さに応じて、該ノズル１から噴霧する水滴の大気中での滞留時間を予め測定しておき、水滴が地表から２．８ｍ位置に達するまでに大気中で略完全に蒸発させている。
これにより、蒸発時の気化熱で加熱空気を冷却して地域の大空間を降温化できると共に、地表の人間に水滴が接触しないようにできる。
【００５２】
（実験例）
図５の表１に示すように、ノズルから噴霧する水滴の平均粒子径（μｍ）を２０μｍ〜１００μｍに変え、かつ湿度を変えて（１）〜（６）の６通りで、蒸発時間（ｓｅｃ）を測定した。
表１に示すように、測定時の気温は３０℃とし、湿度は（１）では３０％、（２）〜（６）にかけて湿度を１０％づつ上昇させ、（６）では湿度８０％とした。
【００５３】
前記測定は、位相式レーザードップラー測定器（Aerometrics社製  ＰＤＰＡ／ＬＶＤシステム）を用いて水滴の粒子径と流速を測定した。
詳しくは、図６に示すようにノズルを所定高さに配置し、ノズル直下の距離Ｌ０の初期測定位置、該初期測定位置Ｌ０から距離Ｌ１離れた位置、初期測定位置Ｌ０から距離Ｌ２離れた位置、初期測定位置Ｌ０から距離Ｌ３離れた位置で、水滴の測定が不可となる位置まで、それぞれ水滴の粒子径を測定すると共に、流速を測定した。
水滴の蒸発時間は、ノズルからの初速速度と距離を変更した流速結果をもとに、下式で解析し、液滴の蒸発時間を算出した。また、測定時の雰囲気気温は３０℃に保持し、湿度条件を３０％〜８０％に変化させて測定した。
【００５４】
初期位置Ｌ０を初期状態とする。
速度ｖｏ＝初期速度  時間ｔｏ≒０
Ｌ１までの時間ｔ１を求める。
加速度ａとすると、
【数１】
2008275304.tif 000003
上記計算より、Ｔ＝ｔ１＋ｔ２＋ｔ３  にて蒸発時間を算出した。
【００５５】
表１に示すように、水滴の平均粒子径が最小の２０μｍの場合は２秒以下で蒸発した。
粒径を増大するに従い、蒸発時間が長くなり、最大の１００μｍの場合は湿度が３０％の（１）の場合は５秒かかり、湿度が７０％の場合（５）は１３秒、湿度８０％の場合（６）では２０秒を要した。
前記測定結果によれば、水滴の平均粒子径は湿度７０％では大気中での滞留時間は長くなり、水滴の平均粒子径が５０μｍでは３秒、７０μｍでは６秒、１００μｍでは１３秒となった。
即ち、湿度が高まると水滴の大気中での滞留時間が増加し、かつ、水滴の平均粒子径が増大するにつれて滞留時間が増加することが確認できた。
【００５６】
前記の予め測定した大気中での滞留時間を目安とし、ノズルの設置高さに応じる地表に達するまでの時間を勘案して、地表２，８ｍ高さ位置に達するまでに水滴が蒸発するように滞留時間を求め、求めた滞留時間からノズルから噴霧する水滴の平均粒子径を規定している。
【００５７】
図７乃至図９に第２実施形態を示す。
第２実施形態では、図７に示すように、地表高さ３０ｍのビルＢの屋上にのみ、その４辺の外周壁に配管１０を付設している。即ち、第１実施形態では１つのビルに異なる複数の高さ位置にノズルを設置しているが、第２実施形態では１つの高さ位置にのみノズルを設置している。また、風向計により測定される風向に応じて噴射を停止している。
【００５８】
図８に示すように、同一高さ位置の取り付ける４辺の配管１０Ｆ−１〜１０Ｆ−４への給水を夫々制御する開閉弁３０を取り付け、各辺毎にノズル１からの噴射を制御している。該開閉弁３０は風向計３２で測定した風向きに応じて開閉している。
即ち、図９に示すように、ノズル１の噴口２ｃに対して正面側に向けた風向きＫ１であること、および、噴口２ｃと垂線が成す９０度に対して、９０度未満の角度αとなった風向きＫ２であることが、風向計３２で測定された場合、開閉弁３０を閉鎖している。
これにより、ノズル１からの噴霧が噴霧方向と逆向きに跳ね返されて、噴霧がノズル１を取り付けてビル側に吹き付けられて、ビルの壁面を濡らす場合には噴射を停止している。
第２実施形態では配管１０Ｆから供給する水圧は水頭圧のみとし、ポンプを用いていない。
【００５９】
本実施形態では、気温３０℃、湿度７０％、風速１ｍ／秒の大気条件下において、地上から３０ｍの位置に設置したノズル１から噴霧する液滴が１０ｍの位置に達するまでの時間が４．５〜６．０秒、噴霧時の液滴量を１００％とすると前記１０ｍの位置に１〜３％が液滴の状態で到達し、地上２．８ｍ以下においては液滴量は噴霧時の液滴量の０．０１％未満となる設定としている。
また、噴霧する液滴の平均粒子径は５０〜８０μｍの範囲内、噴霧圧力は０．３〜３．０ＭＰａの範囲内としている。
【００６０】
使用するノズル１は、図９に示すように、ノズル本体２の中空部２ｅ内に、旋回流発生用のワーラー５０からなるアダプタを装填している。該ワーラー５０は周方向に間隔をあけて斜孔５０ａを備え、これら斜孔５０ａを通過することで旋回流を発生する構成としている。
また、ワーラー５０の設置位置からノズルチップ３のテーパ状の噴射穴３ａに連続するノズル本体２の内周面は円錐面とし、かつ、ノズルチップ３の１段のテーパ形状の噴射穴３ａとし、その内周面には旋回溝を設けていない。
前記ノズル１では、ノズル本体２の中空部２ｅにワーラー５０を設けて旋回流れを発生させ、旋回状態でノズルチップ３の噴射穴３ａ内に流入させて、第１実施形態と同様に、ノズル本体２の噴口２ｃから微細な水滴として霧状に噴射している。
なお、前記ワーラー５０を装填する代わりに、ノズル本体２の内周面に旋回溝を刻設してもよい。ノズルの他の構成は第１実施形態で用いたノズルと同様であるため、同一符号を付して説明を省略する。
【００６１】
また、前記ノズル１に給水するポンプ１６の駆動源の一部に、屋上に設置した太陽光発電装置（図示せず）を用いている。
【００６２】
本実施形態のように、１つのビルＢの屋上の外周面に沿ってノズルを配置して、ノズルから噴霧を発生させても、地域の冷却に寄与させることができる。
また、さらに、１つのビルＢのメインロード側に面する外壁面にのみノズルを配置して、メインロードを効率よく降温化してもよい。
なお、風向計３２により測定される風向きによってノズル１からの噴射を停止する機構は、ビルの屋上に沿ってノズルを配置する場合に限定されず、前記第１実施形態のように、ビルの壁面に沿って上下複数段でノズルを取り付ける場合にも適用できる。
【００６３】
図１０に第２実施形態の変形例を示す。
該変形例では第１実施形態と同様な高さ８０ｍの超高層ビルにノズルを取り付けているが、屋上にはノズルを取り付けず、高さ５０ｍのＬ２位置と３０ｍのＬ３位置の２つの高さ位置のみとしている。
Ｌ２位置の配管１０ＢとＬ３位置の配管１０Ｃに、夫々屋上に搭載したタンク１１Ｂ、１１Ｃから噴霧制御ユニット１７Ｂ、１７Ｃを介して配管した夫々４本一組の配管１３Ｂ、１３Ｃで連通している。図中、前記実施形態と同じ部品は同一符号を付して説明を省略する。
【００６４】
本変形例においても、ポンプの吐出圧でノズル１へ供給する水圧を制御せず、タンク１１Ｂ、１１Ｃの設置位置と配管１０Ｂ、１０Ｃの設置位置との落差により生じる水頭圧をノズル１へ供給する水の圧力として利用している。
【００６５】
図１１に第３実施形態を示す。
第３実施形態は設置高さ５０ｍのビルにノズルを取り付けており、５０ｍ高さの屋上のＬ２位置、２０ｍ高さのＬ３位置、１０ｍ高さのＬ４位置に配管１０Ｂ〜１０Ｄを設け、これらの配管１０Ｂ〜１０Ｄにノズル１をそれぞれ取り付けている。
配管１０Ｂ〜１０Ｄの各四辺は４本１組の配管１３Ｂ〜１３Ｄと夫々連通させ、これら配管１３Ｂ〜１３Ｄは噴霧調整ユニット１７Ｂ〜１７Ｄ、ポンプＰ１〜Ｐ３を介して水源１５と接続している。
【００６６】
第３実施形態では、Ｌ２、Ｌ３、Ｌ４位置の配管１０Ｂ〜１０Ｄに取り付けたノズル１には、夫々ポンプＰ１〜Ｐ３の吐出圧を負荷した水を供給し、ポンプの吐出圧でノズル１に供給する水圧を制御している。
他の構成及び作用は前記実施形態と同様であるため、同一符号を付して説明を省略する。
【００６７】
図１２および図１３に第４実施形態を示す。
第４実施形態では、風速計１９により測定される風速が設定範囲である場合、風向計３２により測定される風向き方向に、前記ノズルの噴霧方向を変える噴霧方向変換手段６０を備えている。
該噴霧方向変換手段６０として、電子制御装置６２と、ノズルの噴霧方向変換手段６３を備えている。
電子制御装置６２は、風向計３２からの風向き方向を示す測定データ、風速計１９からの風速を示す測定データをＡＤ変換器６４を介して受信する受信部７０と、建造物に取り付けているノズル１の噴霧角度、初期設定された噴射方向を記憶している記憶部７１と、前記受信した風速データが１ｍ／ｓ〜５ｍ／ｓの範囲であるかを判定する風速判定部７２と、風向きデータとノズル１の噴射方向とを比較する風向き判定部７３と、風速判定部７２と風向き判定部７３との両方の判定でノズルの噴射方向を変更すべきと判定された場合に、前記噴霧方向変換手段６３を構成するモータ６６およびノズル１へ水を供給するポンプ６５に出力信号を送信する出力部７４を備えている。
前記風向き判定部７３は、噴霧角度が８０度であるノズル１の場合、噴霧方向と風向き方向とに１５度〜９０度の差があれば、測定された風向き方向にノズル１の噴口を一致させるように、ノズルの噴霧方向変換手段６３を動作している。
前記角度１５度〜９０度の範囲は、本発明者が実験により知見した角度範囲である。
【００６８】
前記噴霧方向変換手段６３を図１３の平面図に基づいて説明する。
前記電子制御ユニット６２により回転角度および回転方向を制御したモータ６６は、垂直方向噴霧可変用の第１モータ６６Ａと、水平方向噴霧可変用の第２モータ６６Ｂとからなる。
前記第１モータ６６Ａは、ビルＢの外壁の一辺Ｂ−１に固定し、その出力軸６６Ａ−１の先端を傘歯車６７を介して連動軸６８と連結し、該連動軸６８に給水管８２の先端を連結して、給水管８２を回転している。該給水管８２はビルＢの外壁から水平方向に間隔をあけて突設した支柱８０に回転軸受８１で回転自在に支持している。
回転軸受け８１には左右方向に間隔をあけて３本のノズル取付管８６を突設し、該ノズル取付管８６にピン８８を介して矢印で示す左右方向に揺動自在に揺動管８７を連結し、該揺動管８７の先端にノズル１を固定している。
【００６９】
前記給水管８２の一端側には前記水平方向噴霧可変用の第２モータ６６Ｂを図１３（Ｂ）に示すように固定している。該第２モータ６６Ｂの出力軸に回転板８４を固定し、該回転板８４の外周部に連動軸８３の一端を軸着している。該連動軸８３を水平方向に延在させて、前記３本の揺動管８７に固定している。
よって、第２モータ６６Ｂにより回転板８４を回転すると連動軸８３が矢印で示すように左右方向に移動し、揺動管８７をピン８８を支点として左右方向に揺動し、ノズル１を左右の水平方向に噴霧方向を可変する。
また、前記第１モータ６６Ａにより給水管８２自体が回転すると、ノズル取付管８６、揺動管８７およびノズル１を上下の垂直方向に噴霧方向を可変する。
【００７０】
前記第１モータ６６Ａ、第２モータ６６Ｂを制御する電子制御ユニット６２でホンプ６５の回転量を制御し、給水管８２への供給水圧を風向きおよび風速に応じて制御して、ノズル１からの噴霧量も制御している。
【００７１】
このように、第４実施形態では、風向きと風速に応じて、ノズル１の噴霧方向を垂直方向および水平方向に可変できると共に、噴霧量も調整しているため、ノズル１から噴射する適量の噴霧を風に乗せて、大気中での滞留時間を長くし、地域の降温化を有効に図ることができる。
他の構成および作用は前記第２実施形態と同様であるため、説明を省略する。
前記した垂直方向および水平方向の噴霧方向可変機構の部分は、フード（図示せず）等で被覆し、フードからノズル１を突出させることが好ましい。
また、垂直方向および水平方向の噴霧方向可変機構は第４実施形態の機構に限定されず、ノズル１を垂直方向および水平方向に回転可能な機構であれば適宜に採用できる。
【図面の簡単な説明】
【００７２】
【図１】第１実施形態の斜視図である。
【図２】（Ａ）が地域全体を示す概略斜視図、（Ｂ）は１つのビルに設けたノズルの噴霧状態を示す概略平面図である。
【図３】各設置位置における配管に対するノズルの設置角度を示す概略図である。
【図４】使用するノズルを示す図面である。
【図５】実験結果を示す表である。
【図６】実験状態を示す図である。
【図７】第２実施形態を示す概略図である。
【図８】第２実施形態の配管の概略図である。
【図９】第２実施形態で用いるノズルを示す図面である。
【図１０】第２実施形態の変形例を示す概略斜視図である。
【図１１】第３実施形態を示す概略斜視図である。
【図１２】第４実施形態を示す制御部の構成を示す図面である。
【図１３】（Ａ）は噴霧方向を垂直方向および水平方向に可変する機構を示す全体概略図、（Ｂ）は一部拡大説明図である。
【符号の説明】
【００７３】
１  ノズル
２  ノズル本体
１０、１３  配管
１１  タンク
１６  ポンプ
１７（１７Ａ〜１７Ｄ、１７Ｘ）  噴霧調整ユニット
Ｂ  ビル（既存建造物）
Ｌ１〜Ｌ４  ノズル設置位置
【図１】
2008275304.tif 000004
【図２】
2008275304.tif 000005
【図３】
2008275304.tif 000006
【図４】
2008275304.tif 000007
【図５】
2008275304.tif 000008
【図６】
2008275304.tif 000009
【図７】
2008275304.tif 000010
【図８】
2008275304.tif 000011
【図９】
2008275304.tif 000012
【図１０】
2008275304.tif 000013
【図１１】
2008275304.tif 000014
【図１２】
2008275304.tif 000015
【図１３】
2008275304.tif 000016